(57)【特許請求の範囲】
【請求項１】
少なくとも１つのベースステーション及び少なくとも１つの加入者ステーションを備え、該少なくとも１つの加入者ステーションが接続に対して容量を割り当てるような通信システムにおけるデータ送信方法において、
加入者ステーションから少なくとも１つの容量要求メッセージを第１に送信するステップと、
ベースステーションにより加入者ステーション特有に容量を許可するステップと、
前記ベースステーションから少なくとも１つの容量許可メッセージを第２に送信するステップと、
前記許可された容量を前記加入者ステーションによって接続特有に割り当てるステップと、
前記ベースステーションが容量要求についての情報を更新できるようにするための、以前の容量要求に基づく情報を含む少なくとも１つのメッセージを、前記加入者ステーションから第３に送信するステップと、
容量割り当てに基づいて前記加入者ステーションからデータを第４に送信するステップと、
前記容量要求メッセージ、前記容量許可メッセージ、前記第３に送信されたメッセージ、及び前記第４に送信されたデータを前記ベースステーションにより監視するステップと、
を備え、
前記ベースステーションにより監視を行うステップは、前記容量要求メッセージ、前記容量許可メッセージ、前記第３に送信されたメッセージ、及び前記第４に送信されたデータに基づく情報を使用して、許可された容量と、加入者ステーションから受け取ったデータとの間の不一致を回避することを含む、方法。
【請求項２】
少なくとも１つのベースステーション及び少なくとも１つの加入者ステーションを備え、該少なくとも１つの加入者ステーションが接続に対して容量を割り当てるような通信システムにおけるデータ送信方法において、
通信グループを第１に決定するステップと、
グループプライオリティ順位を第２に決定するステップと、
加入者ステーションから少なくとも１つの容量要求メッセージを第１に送信するステップと、
ベースステーションにより加入者ステーション特有に容量を許可するステップと、
前記ベースステーションから少なくとも１つの容量許可メッセージを第２に送信するステップと、
前記通信グループ、グループプライオリティ順位、及び許可された容量に基づいて前記加入者ステーションにより接続をスケジューリングするステップと、
前記ベースステーションが容量要求についての情報を更新できるようにするための、以前の容量要求に基づく情報を含む少なくとも１つのメッセージを、前記加入者ステーションから第３に送信するステップと、
接続のスケジュールに関連したデータを前記加入者ステーションから第４に送信するステップと、
前記容量要求メッセージ、前記容量許可メッセージ、前記第３に送信されたメッセージ、及び前記第４に送信されたデータを前記ベースステーションにより監視するステップと、
を備え、
前記ベースステーションにより監視を行うステップは、前記容量要求メッセージ、前記容量許可メッセージ、前記第３に送信されたメッセージ、及び前記第４に送信されたデータに基づく情報を使用して、許可された容量と、加入者ステーションから受け取ったデータとの間の不一致を回避することを含む、方法。
【請求項３】
前記第１の決定ステップは、接続クオリティ要求に基づいて通信グループを決定することを含む、請求項２に記載の方法。
【請求項４】
前記第２の決定ステップは、接続クオリティ要求に基づいて前記グループプライオリティ順位を定義することを含む、請求項２に記載の方法。
【請求項５】
前記第１の決定ステップは、アンソリサイテッド・グラント・サービス、リアルタイム・ポーリング・サービス、ノン・リアルタイム・ポーリング・サービス、及びノン・アンソリサイテッド・グラント・サービスの少なくとも１つから選択されたサービスクラスを含む通信グループを決定することを含む、請求項２に記載の方法。
【請求項６】
前記監視ステップは、メモリテーブルを使用してメッセージ及び送信に基づきデータを監視することを含む、請求項１に記載の方法。
【請求項７】
前記第３の送信ステップは、以前の容量要求の情報をベースステーションにおいて接続特有に置き換える更新メッセージを送信することを含む、請求項１に記載の方法。
【請求項８】
前記第３の送信ステップは、接続に対する帯域巾の必要性に基づいた情報を置き換える更新メッセージを送信することを含む、請求項１に記載の方法。
【請求項９】
容量要求メッセージを送信するための第１の送信手段と、
加入者ステーション特有に容量を許可するための許可手段と、
容量許可メッセージを送信するための第２の送信手段と、
許可された容量を接続特有に割り当てるための割り当て手段と、
容量要求についての情報を更新できるようにするための、以前の容量要求に基づく情報を含むメッセージを送信するための第３の送信手段と、
加入者ステーションによりなされる容量割り当てに基づいて、該加入者ステーションからデータを送信するための第４の送信手段と、
前記容量要求メッセージ、前記容量許可メッセージ、前記第３に送信されたメッセージ、及び前記第４に送信されたデータを監視するための監視手段と、
を備え、
前記容量要求メッセージ、前記容量許可メッセージ、前記第３に送信されたメッセージ、及び前記第４に送信されたデータに基づく情報を使用して、許可された容量と、加入者ステーションから受け取ったデータとの間の不一致を回避するための回避手段を更に備えた、通信システム。
【請求項１０】
接続を所定の通信グループへグループ分けするためのグルーピング手段と、
容量要求メッセージを送信するための第１の送信手段と、
加入者ステーション特有に容量を許可するための許可手段と、
容量許可メッセージを送信するための第２の送信手段と、
前記通信グループ、所定のグループプライオリティ順位及び許可された容量に基づいて接続をスケジューリングするためのスケジューリング手段と、
容量要求についての情報を更新できるようにするための、以前の容量要求に基づく情報を含むメッセージを送信するための第３の送信手段と、
接続スケジュールに基づいて加入者ステーションからデータを送信するための第４の送信手段と、
前記容量要求メッセージ、前記容量許可メッセージ、前記第３に送信されたメッセージ、及び前記第４に送信されたデータを監視するための監視手段と、
を備え、
前記容量要求メッセージ、前記容量許可メッセージ、前記第３に送信されたメッセージ、及び前記第４に送信されたデータに基づく情報を使用して、許可された容量と、加入者ステーションから受け取ったデータとの間の不一致を回避するための回避手段を更に備えた、
通信システム。
【請求項１１】
前記通信グループは、プライオリティ順位に配列される、請求項１０に記載のシステム。
【請求項１２】
前記通信グループは、アンソリサイテッド・グラント・サービス、リアルタイム・ポーリング・サービス、ノン・リアルタイム・ポーリング・サービス、及びノン・アンソリサイテッド・グラント・サービスの少なくとも１つから選択されたサービスクラスを含む、請求項１０に記載のシステム。
【請求項１３】
前記監視手段は、メモリテーブルを使用してメッセージ及び送信に基づきデータを監視することを含む、請求項９に記載のシステム。
【請求項１４】
以前の容量要求に基づく情報を含む更新メッセージを送信するための第５の送信手段を更に備え、前記更新メッセージは、ベースステーションにおいて接続に関する以前の容量要求の情報に置き換わる、請求項９に記載のシステム。
【請求項１５】
通信システムのベースステーションにおいて、
送信容量を加入者ステーション特有に許可するための許可手段と、
容量許可メッセージを少なくとも１つの加入者ステーションへ送信するための送信手段と、
少なくとも１つの加入者ステーションから受け取った容量要求メッセージ、ベースステーションにより送信される容量許可メッセージ、少なくとも１つの加入者ステーションから受け取られる、前記ベースステーションが容量要求についての情報を更新できるようにするための、以前の容量要求に基づく情報を含む少なくとも１つのメッセージ、及び容量許可に基づいて加入者ステーションから送信されるデータを監視するための監視手段と、
を備え、
前記容量要求メッセージ、前記容量許可メッセージ、前記以前の容量要求に基づく情報を含む少なくとも１つのメッセージ、及び容量許可に基づいて加入者ステーションから送信されるデータに基づく情報を使用して、許可された容量と、加入者ステーションから受け取ったデータとの間の不一致を回避するための回避手段を更に備えた、ベースステーション。
【請求項１６】
前記監視手段は、メモリテーブルを使用してメッセージ及び送信に基づきデータを監視することを含む、請求項１５に記載のベースステーション。
【請求項１７】
通信システムのベースステーションにおいて、
少なくとも１つの加入者ステーションから容量要求メッセージを受け取り、
送信容量を加入者ステーション特有に許可し、
容量許可メッセージを少なくとも１つの加入者ステーションへ送信し、そして
少なくとも１つの加入者ステーションから受け取った容量要求メッセージ、ベースステーションにより送信される容量許可メッセージ、少なくとも１つの加入者ステーションから受け取られる、前記ベースステーションが容量要求についての情報を更新できるようにするための、以前の容量要求に基づく情報を含む少なくとも１つのメッセージ、及び容量許可に基づいて加入者ステーションから送信されるデータを監視する、というように構成され、
前記監視は、前記容量要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避することを含む、ベースステーション。
【請求項１８】
容量要求メッセージを受け取るステップと、
容量を加入者ステーション特有に許可するステップと、
少なくとも１つの容量許可メッセージを送信するステップと、
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視するステップと、
を備え、
前記監視ステップは、前記容量要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避することを含む、データ送信方法。
【請求項１９】
容量要求メッセージを受け取る受信手段と、
前記受け取った容量要求メッセージに基づいて加入者ステーション特有に容量を許可する許可手段と、
少なくとも１つの容量許可メッセージを発生する発生手段と、
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視する監視手段と、
を備え、
前記容量要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避するための回避手段を更に備えた、データ処理ユニット。
【請求項２０】
前記データ処理ユニットは、デジタル信号プロセッサ、中央処理ユニット（ＣＰＵ）、又は特定用途向け集積回路（ＡＳＩＣ）を含む、請求項１９に記載のデータ処理ユニット。
【請求項２１】
容量要求メッセージを受け取るステップと、
前記受け取った容量要求メッセージに基づいて加入者ステーション特有に容量を許可するステップと、
少なくとも１つの容量許可メッセージを発生するステップと、
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視するステップと、
を備え、
前記監視ステップは、前記容量要求メッセージ、容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避することを含む、方法。
【請求項２２】
データ送信方法に対するプロセスをコンピュータに実行させるための命令を含むプログラムにおいて、前記プロセスは、
容量要求メッセージを受け取り、
加入者ステーション特有に容量を許可し、
少なくとも１つの容量許可メッセージを発生し、そして
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視する、
ステップを含むものであり、
前記監視ステップは、前記容量要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避することを含む、プログラム。
【請求項２３】
データ送信方法に対するプロセスをコンピュータに実行させるための命令を含むプログラムを記憶したコンピュータにより読み取りできる媒体において、前記プロセスは、
容量要求メッセージを受け取り、
加入者ステーション特有に容量を許可し、
少なくとも１つの容量許可メッセージを発生し、そして
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視する、
ステップを含むものであり、
前記監視ステップは、前記容量要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避することを含む、
媒体。
【請求項２４】
前記媒体は、コンピュータ読み取り可能な媒体、プログラム記憶媒体、記録媒体、コンピュータ読み取り可能なメモリ、ソフトウェア分配パッケージを記憶したコンピュータ読み取り可能な媒体、コンピュータ読み取り可能な信号を記憶した媒体、コンピュータ読み取り可能な通信信号を記憶した媒体、コンピュータ読み取り可能な通信信号を記憶した媒体、及びコンピュータ読み取り可能な圧縮ソフトウェアパッケージを記憶した媒体、のうちの少なくとも１つを含む、請求項２３に記載の媒体。
【請求項２５】
容量要求メッセージを受け取るための受信手段と、
前記容量要求メッセージに基づいて加入者ステーション特有に容量を許可するための許可手段と、
少なくとも１つの容量許可メッセージを発生するための発生手段と、
前記容量要求メッセージ、前記容量許可メッセージ、容量要求についての情報を更新できるようにするための、以前の容量要求に基づく情報を含む少なくとも１つのメッセージ、及び容量許可に基づいて加入者ステーションから送信されるデータを監視するための監視手段と、
を備え、
前記要求メッセージ、前記容量許可メッセージ、前記以前の容量要求に基づく情報を含む少なくとも１つのメッセージ、及び前記容量許可に基づいて加入者ステーションから送信されるデータに基づく情報を使用して、許可された容量と、加入者ステーションから受け取ったデータとの間の不一致を回避するための回避手段を更に備えた、基本帯域モジュール。
【発明の詳細な説明】
【技術分野】
【０００１】
本発明は、少なくとも１つのベースステーション及び少なくとも１つの加入者ステーションを備え、加入者ステーションが接続に対して容量を割り当てるような通信システムにおけるデータ送信方法に係る。又、本発明は、データ送信システム、ベースステーション及び加入者ステーションにも係る。特に、本発明は、パケット送信に係る。
【背景技術】
【０００２】
近代的なアクセスシステムは、２つ以上の通信エンティティ間で交換されるメッセージのフォーマット及び順位と、メッセージの送信及び／又は受信で行われるアクションとを定義する異なる高レベルプロトコルをサポートする。媒体アクセス制御（ＭＡＣ）プロトコルの中心的タスクは、チャンネルリソース、通常、無線チャンネルリソースを割り当てることである。ＭＡＣプロトコルは、アクセスポイント又は加入者ユニットが、いつ、どのように、チャンネルを経て送信できるか定義する。ＭＡＣプロトコルは、上位のプロトコルレイヤーに保証されたサービスを提供するために必要とされるインターフェイス手順を備えている。
【０００３】
中央制御アクセスシステムでは、アクセスポイントは、アップリンクチャンネル上の加入者ステーションに容量を割り当てる責任を果たし、即ち各加入者ステーションが、いつ、どれ程長く、チャンネルを経て送信することが許されるか判断する責任を果たす。アクセスポイントは、通常、全ての加入者ステーションへブロードキャストされる「マップ」とも称される制御メッセージを送信することによりそのスケジューリング判断を通知する。これらのメッセージは、通常、送信のためのスタート時間及び時間フレームにより指定されて、プロトコルで定義された特定のエンティティにアドレスされる容量許可を各々定義する情報エレメントのリストを含む。
【発明の開示】
【発明が解決しようとする課題】
【０００４】
エンドユーザにとって、通信ネットワーク内の最も重要なことは、当然、エンドユーザが利用する端−端サービスで満足できることである。端−端サービスは、サービスクオリティ（ＱｏＳ）に関する要件を設定する。これらの要件は、プロトコルハイアラーキーレベルへマップされる。異なるハイアラーキーレベル間のマッピングを可能にするために、ＱｏＳ要件は、通常、分類される。
【０００５】
ＱｏＳ要件は、接続特有に満足されねばならない。しかしながら、中央制御アクセスシステムでは、容量が、通常、加入者ステーション特有に許可される。更に、多くのケースでは、１つの加入者ステーションが多数の接続を同時に有してもよいことに注意されたい。これらの接続は、２つ以上のユーザ装置から発生され、そして接続ごとに異なる定義されたＱｏＳを有してもよい。従って、接続ごとにＱｏＳ要件をどのように満足できるかが問題となる。
【課題を解決するための手段】
【０００６】
本発明は、改良されたデータ送信方法、システム、ベースステーション、加入者ステーション、データ処理ユニット、コンピュータプログラム製品、コンピュータプログラム分配媒体、及び基本帯域モジュールを提供する。
本発明の一実施形態によれば、少なくとも１つのベースステーション及び少なくとも１つの加入者ステーションを備え、加入者ステーションが接続に対して容量を割り当てるような通信システムにおけるデータ送信方法が提供される。この方法は、加入者ステーションから少なくとも１つの容量要求メッセージを第１に送信するステップと、ベースステーションにより加入者ステーション特有に容量を許可するステップと、ベースステーションから少なくとも１つの容量許可メッセージを第２に送信するステップと、加入者ステーションにより接続特有に前記許可された容量を割り当てるステップと、以前の容量要求に基づく情報を含む少なくとも１つのメッセージを加入者ステーションから第３に送信するステップと、容量割り当てに基づいて加入者ステーションからデータを第４に送信するステップと、容量要求メッセージ、容量許可メッセージ及び受信された送信をベースステーションにより監視するステップと、を備えている。
【０００７】
本発明の別の実施形態によれば、通信システムにおけるデータ送信方法が提供される。このシステムは、少なくとも１つのベースステーション及び少なくとも１つの加入者ステーションを備え、加入者ステーションが接続に対して容量を割り当てる。この方法は、通信グループを第１に決定するステップと、グループのプライオリティ順位を第２に決定するステップと、加入者ステーションから少なくとも１つの容量要求メッセージを第１に送信するステップと、ベースステーションにより加入者ステーション特有に容量を許可するステップと、ベースステーションから少なくとも１つの容量許可メッセージを第２に送信するステップと、通信グループ、グループプライオリティ順位及び許可された容量に基づいて加入者ステーションにより接続をスケジューリングするステップと、以前の容量要求に基づく情報を含む少なくとも１つのメッセージを加入者ステーションから第３に送信するステップと、接続のスケジュールに関連したデータを加入者ステーションから第４に送信するステップと、容量要求メッセージ、容量許可メッセージ及び受信された送信の少なくとも１つをベースステーションにより監視するステップと、を備えている。
【０００８】
本発明の別の実施形態によれば、通信システムが提供される。このシステムは、容量要求メッセージを第１に送信するための手段と、加入者ステーション特有に容量を許可するための許可手段と、容量許可メッセージを送信するための第２の送信手段と、許可された容量を接続特有に割り当てるための割り当て手段と、以前の容量要求に基づく情報を含むメッセージを送信するための第３の送信手段と、加入者ステーションによりなされる容量割り当てに基づいてデータを送信するための第４の送信手段と、要求メッセージ、容量許可メッセージ及び受信された送信の少なくとも１つを監視するための監視手段と、を備えている。
【０００９】
本発明の別の実施形態によれば、接続を所定の通信グループへグループ分けするためのグルーピング手段と、容量要求メッセージを送信するための第１の送信手段と、加入者ステーション特有に容量を許可するための許可手段と、容量許可メッセージを送信するための第２の送信手段と、通信グループ、所定のグループプライオリティ順位及び許可された容量に基づいて接続をスケジューリングするためのスケジューリング手段と、以前の容量要求の情報を含むメッセージを送信するための第３の送信手段と、接続スケジュールに基づいてデータを送信するための第４の送信手段と、要求メッセージ、容量許可メッセージ及び受信された送信の少なくとも１つを監視するための監視手段と、を備えた通信システムが提供される。
【００１０】
本発明の別の実施形態によれば、通信システムのベースステーションにおいて、送信容量を加入者ステーション特有に許可するための許可手段と、容量許可メッセージを少なくとも１つの加入者ステーションへ送信するための送信手段と、加入者ステーションから受け取った容量要求メッセージ、ベースステーションにより送信される容量許可メッセージ、及び少なくとも１つの加入者ステーションから受け取られるデータ送信を監視するための監視手段と、を備えたベースステーションが提供される。
【００１１】
本発明の別の実施形態によれば、加入者ステーションが接続に対して容量を割り当てるような通信システムの加入者ステーションにおいて、少なくとも１つの接続の容量要求メッセージを送信するための第１の送信手段と、ベースステーションから容量許可メッセージを受け取るための受信手段と、ベースステーションにより許可された容量を接続特有に割り当てるための割り当て手段と、加入者ステーションの以前の容量要求に基づく情報を含むメッセージを送信するための第２の送信手段と、加入者ステーションによりなされた容量割り当てに基づいてデータを送信するための第３の送信手段と、を備えた加入者ステーションが提供される。
【００１２】
本発明の別の実施形態によれば、接続に対して容量を割り当てる通信システムの加入者ステーションにおいて、１つ以上の接続の容量要求メッセージを送信するための手段と、接続を所定の通信グループへグループ分けするための手段と、通信グループ、所定のグループプライオリティ順位、及びベースステーションにより許可された容量に基づいて接続をスケジューリングするための手段と、以前の容量要求の情報を含むメッセージを送信するための手段と、接続スケジュールに基づいてデータを送信するための手段と、を備えた加入者ステーションが提供される。
【００１３】
本発明の別の実施形態によれば、通信システムのベースステーションにおいて、１つ以上の加入者ステーションから容量要求メッセージを受け取り、送信容量を加入者ステーション特有に許可し、容量許可メッセージを１つ以上の加入者ステーションへ送信し、そして加入者ステーションから受け取った要求メッセージ、ベースステーションにより送信される容量許可メッセージ、及び加入者ステーションから受け取られるデータ送信を監視するように構成されたベースステーションが提供される。
【００１４】
本発明の別の実施形態によれば、加入者ステーションが接続に対して容量を割り当てるような通信システムの加入者ステーションにおいて、１つ以上の接続の容量要求メッセージを送信し、ベースステーションにより許可された容量を接続特有に割り当て、以前の容量要求の情報を含むメッセージを送信し、そして加入者ステーションによりなされた容量割り当てに基づいて加入者ステーションからデータを送信するように構成された加入者ステーションが提供される。
【００１５】
本発明の別の実施形態によれば、データ送信方法が提供される。この方法は、容量要求メッセージを受け取るステップと、容量を加入者ステーション特有に許可するステップと、少なくとも１つの容量許可メッセージを送信するステップと、容量要求メッセージ、容量許可メッセージ及び受け取られた送信の少なくとも１つを監視するステップと、を備えている。
【００１６】
本発明の別の実施形態によれば、データ送信方法が提供される。この方法は、少なくとも１つの接続の容量要求メッセージを送信するステップと、ベースステーションから容量許可メッセージを受け取るステップと、ベースステーションにより許可された容量を接続特有に割り当てるステップと、以前の容量要求に基づく情報を含むメッセージを送信するステップと、容量割り当てに基づいてデータを送信するステップと、を備えている。
【００１７】
本発明の別の実施形態によれば、データ送信方法が提供される。この方法は、少なくとも１つの接続の容量要求メッセージを送信するステップと、接続を所定の通信グループにグループ分けするステップと、所定の通信グループ、所定のグループプライオリティ順位、及びベースステーションにより許可された容量に基づいて接続をスケジューリングするステップと、以前の容量要求に基づく情報を含むメッセージを送信するステップと、接続スケジュールに基づいてデータを送信するステップと、を備えている。
【００１８】
本発明の別の実施形態によれば、データ処理ユニットが提供される。このユニットは、容量要求メッセージを受け取る手段と、受け取った容量要求メッセージに基づいて加入者ステーション特有に容量を許可する手段と、少なくとも１つの容量許可メッセージを発生する手段と、容量要求メッセージ、容量許可メッセージ、及び受信された送信の少なくとも１つを監視する手段と、を備えている。
【００１９】
本発明の別の実施形態によれば、データ処理方法が提供される。この方法は、容量要求メッセージを受け取るステップと、受け取った容量要求メッセージに基づいて加入者ステーション特有に容量を許可するステップと、少なくとも１つの容量許可メッセージを発生するステップと、容量要求メッセージ、容量許可メッセージ、及び受信された送信の少なくとも１つを監視するステップと、を備えている。
【００２０】
本発明の別の実施形態によれば、データ処理ユニットが提供される。このユニットは、少なくとも１つの接続の容量要求メッセージを発生する手段と、容量許可メッセージを受け取る手段と、受け取った容量許可メッセージで許可された容量を接続特有に割り当てる手段と、以前の容量要求に基づく情報を含むメッセージを発生する手段と、を備えている。
【００２１】
本発明の別の実施形態によれば、データ処理方法が提供される。この方法は、少なくとも１つの接続の容量要求メッセージを発生するステップと、容量許可メッセージを受け取るステップと、受け取った容量許可メッセージで許可された容量を接続特有に割り当てるステップと、以前の容量要求に基づく情報を含むメッセージを発生するステップと、を備えている。
【００２２】
本発明の別の実施形態によれば、データ処理ユニットが提供される。このユニットは、少なくとも１つの接続の容量要求メッセージを送信する手段と、接続を所定の通信グループにグループ分けする手段と、所定の通信グループ、所定のグループプライオリティ順位、及びベースステーションにより許可された容量に基づいて接続をスケジューリングする手段と、以前の容量要求に基づく情報を含むメッセージを送信する手段と、接続スケジュールに基づいてデータを送信する手段と、を備えている。
【００２３】
本発明の別の実施形態によれば、データ送信方法に対するコンピュータプロセスを実行するための命令のコンピュータプログラムをエンコードするコンピュータプログラム製品が提供される。前記プロセスは、容量要求メッセージを受け取り、加入者ステーション特有に容量を許可し、少なくとも１つの容量許可メッセージを発生し、そして容量要求メッセージ、容量許可メッセージ、及び受信される送信の少なくとも１つを監視することを含む。
【００２４】
本発明の別の実施形態によれば、コンピュータにより読み取りできると共に、データ送信方法に対するコンピュータプロセスを実行するための命令のコンピュータプログラムをエンコードするコンピュータプログラム分配媒体が提供される。前記プロセスは、容量要求メッセージを受け取り、加入者ステーション特有に容量を許可し、少なくとも１つの容量許可メッセージを発生し、そして容量要求メッセージ、容量許可メッセージ、及び受信される送信の少なくとも１つを監視することを含む。
【００２５】
本発明の別の実施形態によれば、データ送信方法に対するコンピュータプロセスを実行するための命令のコンピュータプログラムをエンコードするコンピュータプログラム製品が提供される。前記プロセスは、少なくとも１つの接続の容量要求メッセージを発生し、容量許可メッセージを受け取り、容量許可メッセージで許可された容量を接続特有に割り当て、そして以前の容量要求に基づく情報を含むメッセージを発生することを含む。
【００２６】
本発明の別の実施形態によれば、データ送信方法に対するコンピュータプロセスを実行するための命令のコンピュータプログラムをエンコードするコンピュータプログラム製品が提供される。前記プロセスは、少なくとも１つの接続の容量要求メッセージを送信し、接続を所定の通信グループにグループ分けし、所定の通信グループ、所定のグループプライオリティ順位、及びベースステーションにより許可された容量に基づいて接続をスケジューリングし、以前の容量要求に基づく情報を含むメッセージを送信し、そして接続スケジュールに基づいてデータを送信することを含む。
【００２７】
本発明の別の実施形態によれば、コンピュータにより読み取りできると共に、データ送信方法に対するコンピュータプロセスを実行するための命令のコンピュータプログラムをエンコードするコンピュータプログラム分配媒体が提供される。前記プロセスは、少なくとも１つの接続の容量要求メッセージを発生し、容量許可メッセージを受け取り、容量許可メッセージで許可された容量を接続特有に割り当て、そして以前の容量要求に基づく情報を含むメッセージを発生することを含む。
【００２８】
本発明の別の実施形態によれば、コンピュータにより読み取りできると共に、データ送信方法に対するコンピュータプロセスを実行するための命令のコンピュータプログラムをエンコードするコンピュータプログラム分配媒体が提供される。前記プロセスは、少なくとも１つの接続の容量要求メッセージを送信し、接続を所定の通信グループにグループ分けし、所定の通信グループ、所定のグループプライオリティ順位、及びベースステーションにより許可された容量に基づいて接続をスケジューリングし、以前の容量要求に基づく情報を含むメッセージを送信し、そして接続スケジュールに基づいてデータを送信することを含む。
【００２９】
本発明の別の実施形態によれば、基本帯域モジュールが提供される。このモジュールは、容量要求メッセージを受け取るための手段と、容量要求メッセージに基づいて加入者ステーション特有に容量を許可するための手段と、少なくとも１つの容量許可メッセージを発生するための手段と、容量要求メッセージ、容量許可メッセージ、及び受信される送信の少なくとも１つを監視するための手段とを備えている。
【００３０】
本発明の別の実施形態によれば、基本帯域モジュールが提供される。このモジュールは、少なくとも１つの接続の容量要求メッセージを発生するための手段と、容量許可メッセージを受け取るための手段と、容量許可メッセージで許可された容量を接続特有に割り当てるための手段と、以前の容量要求に基づく情報を含むメッセージを発生するための手段とを備えている。
【００３１】
本発明の別の実施形態によれば、基本帯域モジュールが提供される。このモジュールは、少なくとも１つの接続の容量要求メッセージを送信するための手段と、接続を所定の通信グループにグループ分けするための手段と、所定の通信グループ、所定のグループプライオリティ順位、及びベースステーションにより許可された容量に基づいて接続をスケジューリングするための手段と、以前の容量要求に基づく情報を含むメッセージを送信するための手段と、接続スケジュールに基づいてデータを送信するための手段とを備えている。
【００３２】
本発明の方法及びシステムは、多数の効果を発揮する。本発明の実施形態において、ＱｏＳ要件は、接続特有に満足することができる。別の効果は、ベースステーションが許可した容量と、それが受け取るデータとの間の不一致を回避するために、ベースステーションがデータ要求に比してデータ送信の量を制御できることである。
【発明を実施するための最良の形態】
【００３３】
以下、添付図面を参照して本発明の実施形態を詳細に説明する。
図１には、本発明の実施形態を適用できるデータ送信システムの簡単な例が示されている。図１は、本発明による解決策を適用できるデジタルデータ送信システムを簡単に示す。図１は、ベースステーション（ＢＳ）１０２が加入者ステーション１０４への両方向無線リンク１００を有するような通信システムの一部分を示す。加入者ステーション（ＳＳ）は、ユーザ装置とベースステーションとの間に接続を与えるようにセットされた一般的な装置である。加入者ステーションは、通常、固定のネットワークエレメント及びベースステーションである。加入者ステーションとユーザターミナルとの間の接続は、中間ネットワークエレメントを含むが、これは、本発明を理解しそして説明する上で必要ないので、図示されていない。
【００３４】
図１のシステムを適用できる環境は、例えば、オフィスビルディングであり、この場合、加入者ステーションは、通常、オフィスビルディングの屋上に配置され、そしてユーザターミナルは、この加入者ステーションを経てベースステーションに接続される。図１の加入者ステーションは、ユーザターミナル１０６、１０８への両方向リンク１１０、１１２を有する。これらリンクは、無線リンクでもよいし、又は固定リンクとして実施されてもよい。加入者ステーションのトランシーバからアンテナユニットへの接続があり、これが両方向無線リンク１００を確立する。図１の構成が使用される１つの例示的システムは、固定ブロードバンドワイヤレスアクセスシステム（８０２．１６規格）であり、これは、ワイヤレスの高データレート接続を与えることができる。実際に、システムは、通常、各ベースステーションと通信する複数の加入者ステーションを備えている。これは、ポイント対マルチポイントトポロジーと称される。ユーザターミナルは、ポータブルでも固定でもよい。
【００３５】
ベースステーションは、接続１１４を経てバックボーンネットワーク１１６に接続される。バックボーン概念は、中間システムへの接続をもつ全てのシステムについて互いの接続が保証されるようなハイアラーキー分布システムの一次接続構造を意味する。この例のバックボーンネットワークは、例えば、ＩＰネットワーク（インターネット）でよい。通常、異なるネットワークは、ルーター１１８で互いに接続される。ルーターとは、ネットワークレイヤー情報及びルーティングテーブルに基づいて、あるネットワークから別のネットワークへパケットを転送する装置である。
【００３６】
ここでは、固定ブロードバンドワイヤレスアクセスシステム規格に基づく通信システムで示された例の助けで本発明を説明する。これらの例は、本発明の実施形態の適用を固定ブロードバンドワイヤレスアクセスシステム規格に限定するものではなく、本発明は、必要な要件をもついかなるシステムにも適用できる。
【００３７】
図２Ａは、ＧＰＳＳ（加入者ステーションごとの許可）オペレーションの従来例を示す。このシステムは、加入者ステーションＳＳｉ及びベースステーションＢＳを備えている。加入者ステーションは、２つの個別の接続Ａ２０２Ａ及びＢ２０４Ｂに対して２つのリソース要求を有する。これらの接続は、単一ユーザターミナルの接続を表わしてもよいし、又は異なるクオリティ要求をもつ単一ユーザターミナルの２つの接続を表わしてもよい。加入者ステーションは、第１接続に対する３００バイトの容量要求２０６Ａと、第２接続に対する５００バイトの容量要求２０８Ａとを送信する。先ず、ベースステーションは、第２接続Ｂ２５０バイト２１０を割り当てるように決定し、そして許可メッセージ２１２Ａを加入者ステーションへ送信する。加入者ステーションは、許可された容量を異なる仕方でスケジュールするように決定し、先ず、２５０バイトを第１接続Ａに割り当てる。第１接続は、更に５０バイトを必要とし、これは、図２Ａに番号２１４でマークされている。第２接続は、要求された５００バイト全部を必要とする。加入者ステーションは、第１接続のデータをベースステーション２１６へ送信する。
【００３８】
図２Ａにおいて明らかなように、容量許可と送信データとの間に不一致があり、即ちベースステーションは第１接続に対するリソースを許可するが、加入者ステーションはリソースを第２接続に割り当てる。しかしながら、ＳＳｉにより要求される帯域巾の全量が、ベースステーションにより許可された帯域巾の全量に対応する限り、悪いデッドロック状態は、通常、生じない。
【００３９】
図２Ｂは、ＧＰＳＳオペレーションの別の従来例を示す。このシステムは、このシステムは、加入者ステーションＳＳｉ及びベースステーションＢＳを備えている。加入者ステーションは、２つの個別の接続Ａ２０２Ｂ及びＢ２０４Ｂに対して２つのリソース要求を有する。加入者ステーションは、第１接続Ａに対する３００バイトの容量要求２０６Ｂと、第２接続Ｂに対する５００バイトの容量要求２０８Ｂとを送信する。しかしながら、ベースステーションは、容量要求メッセージ２０８Ｂを受け取らず、従って、２５０バイトを第１接続Ａに割り当てそして容量許可メッセージ２１２Ｂを送信するように決定する。図２Ｂにおいて、ベースステーションにより受け取られる容量要求メッセージは、番号２２０及び２２２でマークされる。ベースステーションによりなされる容量許可判断は、番号２２４及び２２６でマークされている。
【００４０】
加入者ステーションは、図２Ｂに番号２１８でマークされた接続Ｂへ許可された容量を割り当てるように決定し、そして接続Ｂのデータを有するデータメッセージ２２８をベースステーションへ送信するので、ベースステーションにより許可される容量と、それが受け取るデータとの間には不一致がある。
【００４１】
図３は、本発明の実施形態を説明するフローチャートである。この実施形態は、許可されたアップリンク送信インターバルで異なる接続からのパケットの送信をスケジュールする方法である。この実施形態は、不一致の問題により生じる欠点を減少又は排除する方法を導入する。この方法は、三方ハンドシェークと称することができる。この三方ハンドシェークは、容量が接続特有に要求されそして容量が加入者ステーション特有に許可されると共に、容量要求が失われることがあるようなシステムに特に適している。
【００４２】
この方法を実施できる通信システムは、少なくとも１つの加入者ステーション及び少なくとも１つのベースステーションを備えている。加入者ステーション（ＳＳ）は、ユーザターミナルとベースステーションとの間に接続を与えるようにセットされた一般的な装置である。ユーザターミナルは、ポータブルでも、固定でも、或いは乗物に搭載されてもよい。ベースステーションは、その制御のもとで全ての加入者ステーションへの接続を有する。ベースステーションは、受信したメッセージにおけるアドレスをチェックし、受信したメッセージのアドレスだけを保持する。アップリンクにおいて、加入者ステーションは、容量要求に基づき無線リソースを共有する。このリソース共有は、各加入者ステーションが、例えば、ベースステーションにより許可された定義された時間周期中に送信を行えるバーストモードＦＤＤ（周波数分割デュープレックス）システムに基づくものである。或いは又、リソース共有は、従来のＦＤＤ、ＴＤＤ（時分割デュープレックス）又はＣＤＤ（コード分割デュープレックス）システム、又はそれらの組合せとして実施することもできる。
【００４３】
このシステムは、アクセスポイント（例えば、ベースステーション）がアップリンクチャンネル上の加入者ステーションに容量を割り当てる責任を果たし、即ち各加入者ステーションが、いつ、どれ程長く、チャンネルを経て送信することが許されるか判断する責任を果たすような中央制御アクセスシステムを使用するのが好ましい。ＭＡＣプロトコルは、この目的で使用される上位レイヤープロトコルの１つである。
【００４４】
この方法は、ブロック３００からスタートする。ブロック３０２において、少なくとも１つの容量要求メッセージが加入者ステーションにより接続特有に送信される。好ましくは、容量要求メッセージは、送信されるべきデータを有する各接続に対して加入者ステーションにより送信される。多数の要求が単一の容量要求メッセージへと結合される結合型容量要求メッセージも適用できる。要求メッセージの形式は、通常、使用する規格により定義される。容量要求メッセージは、例えば、他の加入者ステーションからの送信との衝突により失われるかもしれないことに注意されたい。
【００４５】
ブロック３０４において、ベースステーションにより容量が許可される。ベースステーションは、多数の加入者ステーションから到着する受信した容量要求のために、容量許可の判断を行う。しかしながら、ベースステーションは、要求された通りの容量を許可するように義務を負わされておらず、拡散的判断を行うことができる。典型的な状態は、加入者ステーションが、そのとき利用できる以上の容量を接続に対して必要とし、そしてベースステーションが、利用可能な容量を、例えば、送信のプライオリティに基づくアルゴリズムに従って異なる加入者ステーション間で分割するというものである。
【００４６】
ブロック３０６において、少なくとも１つの容量許可メッセージがベースステーションにより送信される。許可メッセージの形式は、通常、使用する規格により定義される。
【００４７】
ブロック３０８において、許可された容量が加入者ステーションにより割り当てられる。この容量は、接続特有に割り当てられる。加入者ステーションは、ベースステーションが許可した無線容量を、ベースステーションの判断とは独立して、接続に割り当て又はスケジュールすることができる。
【００４８】
ブロック３１０において、以前の容量要求の情報を含む少なくとも１つのメッセージが送信される。これは、ベースステーションが、受け取った送信に比して、容量要求についての情報を更新できるようにする。この情報は、例えば、接続特有に以前に要求された帯域巾の量である。
【００４９】
ブロック３１２において、加入者ステーションは、加入者ステーションによりなされた容量割り当て判断に基づいてベースステーションにデータを送信する。
【００５０】
ブロック３１４において、ベースステーションは、容量要求メッセージ、容量許可メッセージ、及び受け取った送信を監視しそして記憶する。ベースステーションは、容量要求メッセージ、容量許可メッセージ、及び受け取った送信の情報を使用して、許可された容量と、加入者ステーションから受け取ったデータとの間の不一致を回避する。これと、加入者ステーションの役割を、図５を参照して更に詳細に説明する。図５は、図４に関連して説明する。
【００５１】
この方法は、ブロック３１６で終了する。矢印３１８は、この方法を繰り返す１つの可能性を示す。
【００５２】
以下、三方ハンドシェーク方法の別の実施形態を、図４を参照して説明する。
この方法は、ブロック４００から始まる。ブロック４０２において、通信グループが決定される。ここでは、１つのアップリンクスケジューリングサービス規格を一例として使用するが、当業者であれば、この例が、この方法の適用を何ら制限するものではないことが明らかであろう。
【００５３】
一般的に述べると、スケジューリングサービスは、ポーリング／許可プロセスの効率を改善するように設計される。スケジューリングサービス及びそれに関連したＱｏＳパラメータを指定することにより、ベースステーションは、アップリンクトラフィックのスループット及び待ち時間の必要性を予想し、そして適当な時間にポーリング及び／又は許可を与えることができる。例えば、ＩＥＥＥ８０２．１６規格で定義されたように、この例における基本的サービスは、アンソリサイテッド・グラント・サービス（ＵＧＳ）、リアルタイム・ポーリング・サービス（ｒｔＰＳ）、ノン・リアルタイム・ポーリング・サービス（ｎｒｔＰＳ）及びベスト・エフォート（ＢＥ）サービスである。各サービスは、特定形式のデータフローに対して意図される。
【００５４】
アンソリサイテッド・グラント・サービス（ＵＧＳ）は、サイレンス・サプレッションを伴わないボイス・オーバー・ＩＰのように周期的なベースで固定サイズのデータパケットを発生するリアルタイムサービスフローをサポートするように設計される。このサービスは、リアルタイムの周期的ベースで固定サイズ許可を与え、これは、ＳＳ要求のオーバーヘッド及び待ち時間を排除すると共に、フローのリアルタイム要求を満足するように許可が得られることを保証する。
【００５５】
リアルタイム・ポーリング・サービス（ｒｔＰＳ）は、ＭＰＥＧビデオのように周期的ベースで可変サイズデータパケットを発生するリアルタイムサービスフローをサポートするように設計される。このサービスは、フローのリアルタイム要求を満足すると共にＳＳが希望の許可のサイズを指定するのを許すリアルタイムで周期的なユニキャスト要求の機会を与える。このサービスは、ＵＧＳより大きな要求オーバーヘッドを必要とするが、最適なデータ搬送効率のために可変許可サイズをサポートする。
【００５６】
ノン・リアルタイム・ポーリング・サービス（ｎｒｔＰＳ）は、広帯域巾ＦＴＰ（ファイル転送プロトコル）のように規則的ベースで可変サイズデータ「グラント・バースト・タイプ」を要求する非リアルタイムサービスフローをサポートするように設計される。このサービスは、規則的なベースでユニキャストポーリングをオファーし、これは、ネットワーク混雑中でもフローが要求の機会を受けることを確保する。
【００５７】
ベスト・エフォート（ＢＥ）サービスの意図は、ベスト・エフォートトラフィックのための効率的なサービスを提供する。このサービスが正しく機能するために、「要求／送信ポリシー」設定は、加入者ステーションがコンテンション要求機会の利用が許されるようにされねばならない。
【００５８】
ここに使用する例では、通信グループは、上述した基本的サービスに基づいて決定される。
スケジューリングサービスに関する更なる詳細は、この分野の文献や規格に見ることができる。
【００５９】
ブロック４０４において、グループプライオリティ順位が決定される。プライオリティ順位は、以前に決定された通信グループに基づいて決定することもできるし、又は独立して決定することもできる。ほとんどのケースでは、最も簡単な解決策は、特にグループがＱｏＳグループであるときは、順位がグループ自体に基づいて決定される。というのは、このケースでは、プライオリティ順位が、使用する規格において決定されるからである。
【００６０】
ブロック４０６において、少なくとも１つの容量要求メッセージが加入者ステーションにより接続特有に送信される。この例では、個別の容量要求メッセージが、送信されるべきデータを有する各接続に対して加入者ステーションから送信される。要求メッセージの形式は、通常、使用規格によって定義され、従って、ここに示す例とは異なってもよい。容量要求メッセージは、他の加入者ステーションからの送信との衝突により失われることがあることに注意されたい。
【００６１】
ブロック４０８において、ベースステーションにより容量が許可される。ベースステーションは、到着した容量要求のために容量許可の判断を行う。しかしながら、ベースステーションは、要求された通りの容量を許可するように義務を負わされておらず、拡散的判断を行うことができる。典型的な状態は、加入者が、そのとき利用できる以上の容量を必要とし、そしてベースステーションが、空き容量を、例えば、送信のプライオリティ特有のアルゴリズムに従って異なる接続間で分割するというものである。
【００６２】
ブロック４１０において、少なくとも１つの容量許可メッセージがベースステーションにより送信される。許可メッセージの形式は、通常、使用する規格により定義される。
【００６３】
ブロック４１２において、通信グループ、グループプライオリティ順位、及び許可された容量に基づいて加入者ステーションにより接続がスケジューリングされる。
【００６４】
加入者ステーションは、ベースステーションが許可した無線容量を、ベースステーションの判断とは独立して、割り当て又はスケジューリングすることができる。
【００６５】
ブロック４１４において、以前の容量要求に関する情報を含む少なくとも１つのメッセージが送信される。この情報は、例えば、接続特有に以前に要求された帯域巾の数である。
【００６６】
加入者ステーションの機能、及び本発明の方法（換言すれば、ブロック４１２及び４１４、並びに図３の相対的ブロック３０８及び３１０）は、図５に示す例を助けとして説明する。メッセージの数、バイトの量、並びに図５に示す他の同様の細部は、単なる例に過ぎず、この方法の適用を何ら限定するものではない。
【００６７】
加入者ステーションＳＳｉは、２つの個別の接続５０２、５０４に対して２つのリソース要求を有する。加入者ステーションは、３００バイトの第１接続Ａの容量要求メッセージ５０６、及び５００バイトの第２接続Ｂの容量要求メッセージ５０８を送信する。又、容量要求メッセージは、ベースステーションが異なる接続を確認できるように接続識別子も備えている。しかしながら、ベースステーションは、第２の要求メッセージを受け取らず、それ故、ベースステーションは、第１接続に２５０バイトを割り当てるように決定し、そして容量許可メッセージ５１４を加入者ステーションへ送信する。加入者ステーションは、許可された容量を異なる仕方で割り当てるように決定し、先ず、第２接続Ｂに２５０バイトを割り当てる。第２接続は、まだ、更に２５０バイトを必要とし、これは、図中に番号５１６でマークされている。
【００６８】
次いで、加入者ステーションは、新たな集約要求メッセージを送信する。メッセージの数は、状況に応じて変化する。通常、加入者ステーションは、容量を必要とする接続と同数の集約要求メッセージを送信する。集約要求メッセージとは、ベースステーションにおいて接続の帯域巾要求に関する情報に置き換わる更新を保持するものである。図５において、第１（接続Ａ）の集約要求メッセージ（集約ＰＤＵ、プロトコルデータユニット）は、番号５１８でマークされており、そして第２（接続Ｂ）は、番号５２０でマークされている。加入者ステーションのスケジューラは、アップリンクバッファの状態を知っているので、集約ＰＤＵを使用してベースステーションにバックログを与えることができる。ＰＤＵの長さは、通常、６バイトである。
【００６９】
図５において明らかなように、識別子又はヘッダとして必要とされるバイトが、許可された容量に含まれ、従って、実際のデータに使用できる容量は若干少ない。しかし、その差は著しいものではなく、得られる利益は、次の説明で明らかとなるように顕著なものである。
【００７０】
ブロック４１６において、加入者ステーションは、加入者ステーションにより作られた接続スケジュール（又は割り当て）に基づいてベースステーションへデータを送信する。図５の例では、これがメッセージ５２２でマークされている。
【００７１】
ブロック４１８（図３のブロック３１４）において、ベースステーションは、要求メッセージ、容量許可メッセージ、及び受信された送信を監視しそして記憶する。ベースステーションは、要求メッセージ、容量許可メッセージ、及び受信された送信に関する情報を使用して、許可された容量と、加入者ステーションから受け取ったデータとの間の不一致を回避する。
【００７２】
又、これは、図５を助けとして詳細に説明する。第１のテーブル５１０は、ベースステーションが第１の容量要求メッセージ５０６を受信した後のフォローアップのブックキーピングを示す。明らかなように、ベースステーションは、第２の容量要求メッセージ５０８を受信しない。
【００７３】
第２のテーブル５１２は、ベースステーションが第１接続（接続Ａ）に対して２５０バイトを許可することを示している。第３のテーブル５２４は、集約要求メッセージ後の状況を示しており、即ち両接続に対する要求が現在状態及び受信されたメッセージに対して更新される。これは、ベースステーションが要求、許可及び送信をどのように監視できるかであり、不一致（図２Ａ−Ｂを参照）のおそれは小さく、通常、回避することができる。ベースステーションは、通常、各接続に対する容量要求、各接続に対する許可容量、及び各接続から受信されたデータに関する現在状態をメモリにセーブする。ブックキーピングは、多くの状況において有益であり、即ち容量要求がベースステーションに到達しないとき、或いは加入者ステーションが、何らかの理由で、ベースステーションによりなされた許可判断とは異なる容量を割り当てるときに有益である。
【００７４】
当業者であれば、特徴の監視及び記憶を実施する他の可能性もあるが、メモリテーブルが極めて効果的な解決策であることが明らかであろう。
この方法は、ブロック４２０で終了となる。矢印４２２は、この方法を繰り返す１つの可能性を示す。
【００７５】
以下、三方ハンドシェーク方法の一実施形態を、図６を参照して詳細に説明する。図６は、非ＵＧＳ接続、換言すれば、リアルタイム・ポーリング・サービス（ｒｔＰＳ）、ノン・リアルタイム・ポーリング・サービス（ｎｒｔＰＳ）及びベスト・エフォート（ＢＥ）サービス接続を処理する例を示す。
【００７６】
このプロセスは、ブロック６００でスタートする。ブロック６０２において、バッファに待機している非ＵＧＳ接続があるかどうかのサーチがなされる。接続許可は、以前に送信されたＰＤＵヘッダにより示された帯域巾要求の、ベースステーションにおける受信を暗示的に確認すると仮定する。
【００７７】
バッファが空でない場合には、ブロック６０４において、非ＵＧＳ接続が待ち行列から選択される。通常、待ち行列から接続がいかにピックアップされるかの原理は、「重み付けされたラウンド・ロビン順位（ＷＲＲ）」である。ラウンド・ロビンアルゴリズムは、固定サイズのタイムスライスでリソースを割り当てるのにしばしば使用される周期的なマルチプレクス技術である。
【００７８】
「デフィシット・ラウンド・ロビン」アルゴリズムは、「重み付けされたラウンド・ロビン（ＷＲＲ）」の変形で、可変パケット長さの接続がリンク帯域巾を共有するのを許す。断片化を回避するために、パケット特有の実施が、通常、示唆される。「デフィシット・ラウンド・ロビン」アルゴリズムでは、各接続は、ラウンドφ及びデフィシット変数Δの間に接続が理想的に送信すべきパケットの量によって特徴付けられる。バックログ接続がサービスされるときには、全長がφ＋Δを越えないパケットのバーストを送信することが許される。パケットが長過ぎるためにパケットをラウンドで送信するように接続を使用できないときには、現在ラウンドでの送信に使用できないバイトが接続のデフィシット変数にセーブされ、それ故、次のラウンドの同じ接続に使用できるようになる。
【００７９】
ブロック６０６において、接続が初めてサービスされるかどうか明らかにされる。当該接続が以前にサービスを受けている場合には、プロセスは、ブロック６２４及び６１２に続く。ブロック６２４において、更新集約要求メッセージがバーストに追加され、これが、ベースステーションにおいて接続の帯域巾要求に関する情報に置き換わる。
【００８０】
さもなければ、プロセスは、ブロック６０８に続く。ブロック６０８では、要求された容量が現在のバックログより低いかどうか決定するための問合せがなされる。もしそうであれば、ブロック６１０において、増分的要求で第１のＰＤＵにＧＭ（許可マネージメント）サブヘッダが追加される。ＧＭサブヘッダとは、データＰＤＵに埋め込まれる特殊な要求メッセージである。これは、増分的要求、換言すれば、以前の要求に追加される要求を保持する。要求メッセージも使用できるが、ＧＭサブヘッダは、要求メッセージより短いので、より好ましい。ＧＭサブヘッダは、８０２．１６規格の特定ファシリティであるから、常時使用できないことに注意されたい。
【００８１】
ブロック６１２において、１つ以上のＰＤＵがラウンド・ロビンアルゴリズムに基づいてバーストに追加される。
次いで、ブロック６１４において、使用可能な容量がまだあるかどうか決定される。もはや充分な容量がない場合には、処理されたバーストがブロック６１８において送信される。容量がまだある場合には、プロセスが再び始まり、これは、図６において、Ａ６１６、６２２を含む２つのブロックによりマークされている。プロセスは、ブロック６２０で終了となる。
【００８２】
図７は、上述した三方ハンドシェーク方法により要求される機能に関連したベースステーションの簡単な実施形態を示している。当業者であれば、ベースステーションは、図７に示したものとは異なってもよいことが明らかであろう。
【００８３】
この場合、ＲＦ部分７００は、ベースステーションの受信器及び送信器の両方に対して共通である。又、これは、別々のコンポーネントでもよいことが明らかであろう。又、ＲＦ部分は、無線経路において減衰した受信信号を増幅する電力増幅器を備えてもよい。通常、受信器のＲＦ部分は、受信信号を、中間周波へ、次いで、基本帯域周波数へダウン変換するか、或いは直接的に基本帯域周波数へダウン変換する。送信器においては、信号が搬送波周波数へアップ変換される。デジタルシステムでは、ＲＦ部分は、通常、アナログ−デジタル／デジタル−アナログコンバータを備えている。
【００８４】
ＲＦ部分から、アンテナ７０６へ接続される。受信器は、受信及び送信に同じアンテナ７０６を使用し、それ故、送信と受信を分離するためのデュープレックスフィルタもある。アンテナは、アンテナアレーでも単一のアンテナでもよい。変調／復調及びエラー修正のような他の種々の高周波機能がユニットのＲＦ部分に含まれてもよい。アンテナは、アンテナアレーでも単一のアンテナでもよい。
【００８５】
図７に例示する解決策では、ベースステーションの付加的な機能が、ＡＳＩＣ（特定用途向け集積回路）コンポーネントとして通常実施される基本帯域ＢＢブロック７０２に設けられる。基本帯域ブロックは、例えば、必要に応じて、コード化及びデコードのようなデジタル信号処理（ＤＳＰ）機能をとり行う。又、基本帯域ブロックにおいて変調及び復調を処理することもできる。基本帯域ブロックは、ＤＳＰ処理用のＤＳＰブロック、及び／又はＣＰＵブロック（中央処理ユニット）を含んでもよい。
【００８６】
本発明の一実施形態において、ＢＢブロックは、メモリユニットを含むか、又はそれに接続される。メモリユニットは、要求メッセージ、容量許可メッセージ及び受信された送信を追跡するのに使用される。情報は、例えば、テーブルフォーマットに記憶することができる。又、容量許可機能は、ＢＢブロックにより実行される。
【００８７】
この例では、基本帯域ブロックの一部分である制御ブロック７０４は、容量許可プロセスの制御と、容量許可メッセージの送信と、要求メッセージ、容量許可メッセージ及び受信された送信の追跡とを実行する。
【００８８】
図８は、上述した三方ハンドシェーク方法により要求される機能に関連した加入者ステーションの簡単な実施形態を示している。当業者であれば、加入者ステーションは、図８に示したものとは異なってもよいことが明らかであろう。このケースでは、ＲＦ部分８００は、加入者ステーションの受信器及び送信器の両方に対して共通である。これが個別のコンポーネントでもよいことが明らかであろう。又、ＲＦ部分は、無線経路において減衰した受信信号を増幅する電力増幅器を備えてもよい。通常、受信器のＲＦ部分は、受信信号を、中間周波へ、次いで、基本帯域周波数へダウン変換するか、或いは直接的に基本帯域周波数へダウン変換する。送信器においては、信号が搬送波周波数へアップ変換される。デジタルシステムでは、ＲＦ部分は、通常、アナログ−デジタル／デジタル−アナログコンバータを備えている。
【００８９】
ＲＦ部分から、アンテナ８０６へ接続される。トランシーバは、受信及び送信に同じアンテナ８０６を使用し、それ故、送信と受信を分離するためのデュープレックスフィルタもある。アンテナは、アンテナアレーでも単一のアンテナでもよい。例示的なＩＥＥＥ８０２．１６規格のようなポイント対マルチポイントにおいては、加入者ステーションのアンテナは、ビーム形成アンテナでよい。
【００９０】
図８の解決策では、加入者ステーションの付加的な機能が、ＡＳＩＣ（特定用途向け集積回路）コンポーネントにより通常実施される基本帯域ＢＢブロック８０２に設けられる。基本帯域ブロックは、例えば、必要なＤＳＰ機能をとり行う。
【００９１】
本発明の一実施形態において、この例ではベース帯域ブロックの一部分である制御ブロック８０４は、容量要求メッセージの送信、以前の容量要求の情報を含むメッセージの送信、及び容量割り当てに基づくデータの送信を制御するという機能を遂行する。又、制御ブロックは、ベースステーションが許可した容量を異なる接続に割り当てる。通常、サービスクラスに基づいて接続をスケジュールする加入者ステーションスケジューラは、制御ブロックの一部分であるのが好ましい。
【００９２】
ベースステーション及び加入者ステーションは、通常、メッセージ及びデータを送信するための無線接続を経て互いに接続される。
データ送信方法のここに述べた実施形態のここに開示する機能は、ベースステーションの基本帯域部分及び加入者ステーションの基本帯域部分に配置することのできるデジタル信号プロセッサ又は中央処理ユニットに通常位置されるソフトウェアにより実施できるのが効果的である。又、実施解決策は、例えば、ＡＳＩＣ（特定用途向け集積回路）コンポーネントでもよい。これら異なる実施のハイブリッド構成も可能である。
【００９３】
以上、添付図面を参照して、本発明を詳細に説明したが、本発明は、これに限定されるものではなく、特許請求の範囲内で種々の変更が可能である。
【図面の簡単な説明】
【００９４】
【図１】本発明の実施形態による送信システムを例示する図である。
【図２Ａ】ＧＰＳＳ（加入者ステーションごとの許可）オペレーションの従来例を示す図である。
【図２Ｂ】ＧＰＳＳ（加入者ステーションごとの許可）オペレーションの従来例を示す図である。
【図３】本発明の実施形態によるデータ送信方法を示すフローチャートである。
【図４】本発明の実施形態によるデータ送信方法を示す別のフローチャートである。
【図５】本発明の実施形態による加入者ステーション及びベースステーションのオペレーションを例示する図である。
【図６】本発明の実施形態による非ＵＧＳサービスクラスの処理例を示す図である。
【図７】本発明の実施形態によるベースステーションを例示する図である。
【図８】本発明の実施形態による加入者ステーションを例示する図である。
【図１】
0004633713.tif 000002
【図２Ａ】
0004633713.tif 000003
【図２Ｂ】
0004633713.tif 000004
【図３】
0004633713.tif 000005
【図４】
0004633713.tif 000006
【図５】
0004633713.tif 000007
【図６】
0004633713.tif 000008
【図７】
0004633713.tif 000009
【図８】
0004633713.tif 000010